(57)【要約】【課題】端子または接栓座の方向およびケースの姿勢を容易に変更することができる同軸ケーブル分配器を提供することである。【解決手段】同軸ケーブル分配器１００は、同軸ケーブル用の複数の接栓座２００，３００が設けられたケースと、ケースの一端部から突出形成された第１軸部４１０と、ケースの他端部から突出形成された第２軸部４２０と、第１軸部４１０を外包する第１取り付け部材５１０と、第２軸部４２０を外包する第２取り付け部材５２０と、を含む。第１軸部４１０および第２軸部４２０の軸心は、同一軸４５０上で形成されるとともに、第１軸部４１０および第２軸部４２０は、該同一軸に交差する方向に形成された螺子用凹部４３０をそれぞれ有する。【選択図】図１
2020129453.tif 000002
【特許請求の範囲】
【請求項１】
同軸ケーブル用の複数の接栓座が設けられたケースと、
前記ケースの一端部から突出形成された第１軸部と、
前記ケースの他端部から突出形成された第２軸部と、
前記第１軸部を外包する第１取り付け部材と、
前記第２軸部を外包する第２取り付け部材と、を含み、
前記第１軸部および前記第２軸部の軸心は、同一軸上で形成され、
前記第１取り付け部材および前記第２取り付け部材は、それぞれ螺子挿入部を有し、前記螺子挿入部に螺子を挿入することにより前記第１取り付け部材および前記第２取り付け部材の外包が締め付けられて固定される、電子機器。
【請求項２】
前記第１軸部の少なくとも一部は円柱形状からなり、
前記第２軸部の少なくとも一部は円柱形状からなり、
前記第１取り付け部材は、
前記円柱形状が回転可能に挿入される軸孔と、
前記軸孔の孔径を拡縮可能とするスリットと、を含み、
前記第２取り付け部材は、
前記円柱形状が回転可能に挿入される軸孔と、
前記軸孔の孔径を拡縮可能とするスリットと、を含み、
前記螺子を前記螺子挿入部に挿入することにより、前記スリット間隔を小さくして前記軸孔の孔径を縮小する、請求項１記載の電子機器。
【請求項３】
前記第１軸部の少なくとも一部は円柱形状からなり、
前記第２軸部の少なくとも一部は円柱形状からなり、
前記第１取り付け部材は、
前記円柱形状が回転可能に挿入される軸孔と、
前記軸孔の孔径を拡縮可能とするスリットと、を含み、
前記第２取り付け部材は、
前記円柱形状が回転可能に挿入される軸孔と、
前記軸孔の孔径を拡縮可能とするスリットと、を含み、
前記螺子を前記螺子挿入部に挿入し、取り付け面に取り付けることにより、前記スリット間隔を小さくして前記軸孔の孔径を縮小する、請求項１記載の電子機器。
【請求項４】
前記第１軸部および前記第２軸部に、該同一軸に交差する方向に形成された螺子用凹部がそれぞれ形成されている、請求項１から３のいずれか１項に記載の電子機器。
【請求項５】
前記螺子用凹部は、前記第１軸部および前記第２軸部の一部の断面を、一対の扇柱形状に形成する、請求項４に記載の電子機器。
【請求項６】
前記螺子用凹部は、前記第１軸部および前記第２軸部の一部の断面を、該軸から偏芯して形成された一個の楕円柱形状に形成する、請求項４に記載の電子機器。
【請求項７】
前記螺子用凹部および前記軸孔により形成された円柱部に、前記螺子を貫通させた、請求項４から６のいずれか１項に記載の電子機器。
【請求項８】
前記同一軸は、前記ケースの外側にオフセットして配置される、請求項１から７のいずれか１項に記載の電子機器。
【発明の詳細な説明】
【技術分野】
【０００１】
本発明は電子機器に関する。
【０００２】
従来、壁面等に設けられたＴＶ端子のような同軸端子と、複数台のＴＶ受像機を同軸ケーブルで接続するときには、分配器あるいは分岐器等と称される電子機器が用いられる。
【０００３】
例えば、特許文献１（特開平０６−２０３９２８号公報）には、モールドにより一体的に形成され異なる角度で基板、パネルに取付けられる電気コネクタが開示されている。
【０００４】
特許文献１に記載の電気コネクタは、絶縁ハウジングの少なくとも一端近傍の取付耳に取付具用取付穴が形成された電気コネクタにおいて、取付穴は２方向から略Ｄ字状のチャンネルを形成して該両チャンネルを一部連通させることにより取付具を前記連通穴を介して前記絶縁ハウジングに対して角度の異なる２方向から挿通可能にすることを特徴とするものである。
【０００５】
また、特許文献２（特開２００９−２９５４９５号公報）には、接栓座の向きをできるだけ自由に変え得る信号分配器、分岐器について開示されている。
【０００６】
特許文献２に記載の信号分配器、分岐器においては、信号分配器／分岐器の筐体に取り付けられる同軸接栓座において、側面形状がＬ字型で先端に接続口を有する接栓座と、側壁に前記接栓座の基部を回転可能に支持し、底面が締付具を介して前記筐体の面に固定される接栓台とをそなえ、前記接栓座を自在に回転させるようにしたことを特徴とするものである。
【０００７】
さらに、特許文献３（特開２００６−１４７３１０号公報）には、共同受信機器を造営材に対して設置する作業において、共同受信機器の取付位置、接栓座に接続する同軸ケーブルの配線プランを自由に選定することができるようにする共同受信機器について開示されている。
【０００８】
特許文献３に記載の共同受信機器は、内部に電子回路を納めるようにした筒状のケースの周面には、上記ケースの軸心方向に向けて複数の接栓座を突出方向を揃えて列設し、上記ケースの両端部には取付部材の合着部を対接させる為の対接部を具備させ、一方、造営材に固着させる為の装着部を夫々具備している二つの取付部材には、上記ケースの両端部に備えさせる対接部に夫々合着させる為の合着部を具備させ、さらに、上記取付部材と上記ケースとは、上記接栓座の突出方向が上記ケースを設置すべき面に直交した方向から、上記ケースを設置すべき面に並行配置される間の任意の位置に回転自在に固定可能としたことを特徴とするものである。
【０００９】
さらに、特許文献４（特開２００６−１４７４９６号公報）には、安価で作業性のよい分岐及び分配器について開示されている。
【００１０】
特許文献４に記載の分岐及び分配器は、本体の内部には伝送信号を分岐及び分配するための回路手段を有し，本体の外壁には伝送経路を介して前記回路手段と他の機器に接続するための同軸接栓座を有する分岐及び分配器において，前記本体は，該本体の１つの面に前記同軸接栓座の軸線が並行配置されるように同じ方向を向けて突出するように同軸接栓座と，前記本体における，前記同軸接栓座の配列方向に位置する両側面と，前記同軸接栓座の最も外側に配設され同軸接栓座と，の間における前記本体の両端部には，前記本体を設置すべき面に対して止着ねじを用いて固定できるように形成した止着ねじ挿通用の挿通孔を備え，該挿通孔は，前記本体が前記同軸接栓座の突出方向を前記本体を設置すべき面に止着ねじを用いて並行配置して固定するために夫々対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔が備えられ，前記各挿通孔は，内周面に段部が設けられ，該段部に連設して前記止着ねじの挿脱方向側に形成された開口部から段部にかけて配設される大径部と，前記段部から前記設置すべき面に設置するための設置面側に形成された開口部にかけて配設される小径部と，からなり，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設されたことを特徴とするものである。
【００１１】
さらに、特許文献５（特開２００７−１８８１８号公報）には、入力用接栓座と複数の出力用接栓座群とを造営材に対して任意の角度で、しかも同一方向へ向けて設置でき、分岐／分配器の取付位置、接栓座に接続する同軸ケーブルの配線プランを自由に選定することができる分岐／分配器について開示されている。
【００１２】
特許文献５に記載の分岐／分配器は、内部に分岐／分配回路を納めるようにした収納空間を備えている筒状のケースの周面には、入力用接栓座と複数の出力用接栓座を夫々筒状ケースの筒芯に対して直交する方向に樹立させる状態で備えさせている分岐／分配器において、上記入力用接栓座と複数の出力用接栓座とは、筒状ケースの筒芯に平行する方向に一列に並べて備えたものである。
【００１３】
さらに、特許文献６（特開２００４−２４７２２８号公報）には、同軸ケーブル分配器や分岐器の汎用性を高くする同軸ケーブル分配器について開示されている。
【００１４】
特許文献６に記載の同軸ケーブル分配器は、内部に空洞を有する筐体の表面に、中心コンタクト及び前記中心コンタクトと同心的に設けられた円柱状の外部コンタクトを備える同軸ケーブル接続端子（以下、接栓と称する）が３個以上取り付けられてなり、前記各接栓の前記外部コンタクト同士は前記筐体により電気的に接続され、前記中心コンタクト同士は前記筐体の前記空洞内で電気的に接続された同軸ケーブル分配器であって、前記接栓のうち、すくなくとも２つの接栓は、前記筐体表面からの突出方向と直交する方向を回転軸として、前記外部コンタクト同士及び前記中心コンタクト同士の電気的接続を保ちながら回転することを特徴とするものである。
【００１５】
また、特許文献７（特開２０１７−３３７５５号公報）には、従来の電子機器ケースは取付部が一定方向からの取付のみを想定したものであり、端子の方向を変更する際には、電子機器ケースの端子方向の変更、又は取付面の変更、及びネジの再取付が必要であり、作業性が低いという課題が存在した電子機器ケースについて開示されている。
【００１６】
特許文献７に記載の電子機器ケースは、略直方体状の電子機器ケースであって、入力端子と、少なくとも２つ以上の出力端子を有し、該ケースの対向する側面に取付部を有し、該取付部は略直方体形状とされ、該取付部側面の２か所に、隣接する２つの側面に連通する取付開口部を有し、該取付開口部に取付具を挿通し固定を行うことを特徴とするものである。
【先行技術文献】
【特許文献】
【００１７】
【特許文献１】特開平０６−２０３９２８号公報
【特許文献２】特開２００９−２９５４９５号公報
【特許文献３】特開２００６−１４７３１０号公報
【特許文献４】特開２００６−１４７４９６号公報
【特許文献５】特開２００７−１８８１８号公報
【特許文献６】特開２００４−２４７２２８号公報
【特許文献７】特開２０１７−３３７５５号公報
【発明の概要】
【発明が解決しようとする課題】
【００１８】
しかしながら、特許文献１から特許文献６のいずれにおいても、取り付け面に対し一定方向からの取り付けのみが可能となるものであり、端子または接栓座の方向を変更する場合には、螺子の再取り付け等が必要となり、作業性が低いという課題があった。
【００１９】
また、特許文献７記載の技術においては、分配器の両側に設けられた取付部に螺子を完全に貫通させて同軸ケーブル分配器ケースを取り付け面に取り付けた場合、同軸ケーブル分配器ケースの取り付け方向を自由な角度に変更できないという問題があった。すなわち、決められた１の姿勢と、当該姿勢から９０度回転させた姿勢との２つの状態しか選択できなかった。
【００２０】
さらに、特許文献７記載の技術においては、螺子を取付部に完全に貫通させて同軸ケーブル分配器ケースを取り付け面に取り付けた場合、同軸ケーブル分配器ケースの角部分が取り付け対象に接触するため、回転させることが困難であるという問題があった。
【００２１】
本発明の目的は、取り付け対象に対して任意の角度で固定できる電子機器を提供することである。
本発明の他の目的は、端子または接栓座の方向およびケースの姿勢を容易に変更することができる電子機器を提供することである。
本発明の他の目的は、同軸ケーブルを取り付けた後であっても、端子の方向およびケースの姿勢を容易に、かつ自由自在に変更することができる電子機器を提供することである。
【課題を解決するための手段】
【００２２】
（１）
一局面に従う電子機器は、同軸ケーブル用の複数の接栓座が設けられたケースと、ケースの一端部から突出形成された第１軸部と、ケースの他端部から突出形成された第２軸部と、第１軸部を外包する第１取り付け部材と、第２軸部を外包する第２取り付け部材と、を含み、第１軸部および第２軸部の軸心は、同一軸上で形成され、第１取り付け部材および第２取り付け部材は、それぞれ螺子挿入部を有し、螺子挿入部に螺子を挿入することにより第１取り付け部材および第２取り付け部材の外包が締め付けられ、第１軸部が第１取り付け部材により固定され、第２軸部が第２取り付け部材により固定される。また、固定には、摺動可能に保持される場合も含んでも良い。
【００２３】
この場合、第１軸部と第２軸部とが、第１取り付け部材および第２取り付け部材に外包され、螺子により締め付けられて互いに摺動可能に保持される。また、第１軸部と第２軸部とからなる同一軸を軸として、当該ケースを回動させることができる。
その結果、同軸ケーブル用の複数の接栓座に同軸ケーブルを取り付けた後でも、端子の方向およびケースの姿勢を容易に変更することができる。
また、第１取り付け部材および第２取り付け部材と、第１軸部および第２軸部とが、摺動可能に保持されているので、自由な角度で保持させることができる。
例えば、ある姿勢のケースを基本として、ケースを１５度回転させた姿勢、３０度回転させた姿勢、４５度回転させた姿勢等、多段階、自由自在な状態を設定することができる。
また、螺子を螺子挿入部に挿入することにより外包が締め付けられる。または螺子を螺子挿入部に挿入し取り付け面に取り付ける。これらのいずれか一方により螺子頭および取り付け面により挟まれることにより外包され、各取り付け部材は各軸部に固定される。
【００２４】
（２）
第２の発明にかかる電子機器は、一局面に従う電子機器において、第１軸部の少なくとも一部は円柱形状からなり、第２軸部の少なくとも一部は円柱形状からなり、第１取り付け部材は、円柱形状が回転可能に挿入される軸孔と、軸孔の孔径を拡縮可能とするスリットと、を含み、第２取り付け部材は、円柱形状が回転可能に挿入される軸孔と、軸孔の孔径を拡縮可能とするスリットと、を含み、螺子を螺子挿入部に挿入することにより、スリット間隔を小さくして軸孔の孔径を縮小してもよい。
【００２５】
この場合、第１軸部および第２軸部はそれぞれ円柱形状からなり、第１取り付け部材および第２取り付け部材は断面がアルファベットの「Ｃ」の文字形状からなる。
第１取り付け部材の螺子貫通部に通した螺子の頭部と螺子のスクリュー部分とで、アルファベットの「Ｃ」の文字の書き始めと書き終わりの部分を近づけることにより、スリット間隔を小さくし、第１取り付け部材の孔径を縮小することができる。
第２取り付け部材の螺子貫通部に通した螺子の頭部と螺子のスクリュー部分とで、アルファベットの「Ｃ」の文字の書き始めと書き終わりの部分を近づけることにより、スリット間隔を小さくし、第２取り付け部材の孔径を縮小することができる。
その結果、第１軸部および第２軸部を第１取り付け部材および第２取り付け部材に対し容易に摺動可能に保持することができる。
【００２６】
（３）
第３の発明にかかる電子機器は、一局面に従う電子機器において、第１軸部の少なくとも一部は円柱形状からなり、第２軸部の少なくとも一部は円柱形状からなり、第１取り付け部材は、円柱形状が回転可能に挿入される軸孔と、軸孔の孔径を拡縮可能とするスリットと、を含み、第２取り付け部材は、円柱形状が回転可能に挿入される軸孔と、軸孔の孔径を拡縮可能とするスリットと、を含み、螺子を螺子挿入部に挿入し取り付け面に取り付けることにより、スリット間隔を小さくして軸孔の孔径を縮小してもよい。
【００２７】
この場合、第１軸部および第２軸部はそれぞれ円柱形状からなり、第１取り付け部材および第２取り付け部材は、断面がアルファベットの「Ｃ」の文字形状からなる。壁または固定部材等の取り付け面と螺子の頭部とで取り付け部材を挟み、アルファベットの「Ｃ」の文字の書き始めと書き終わりの部分を近づけることで、すなわち、スリット間隔を小さくし、孔径を縮小することができる。
その結果、第１軸部および第２軸部を第１取り付け部材および第２取り付け部材に容易に摺動可能に保持することができる。
【００２８】
（４）
第４の発明にかかる電子機器は、一局面から第３の発明にかかる電子機器において、第１軸部および第２軸部に、同一軸に交差する方向に形成された螺子用凹部がそれぞれ形成されていてもよい。
【００２９】
この場合、螺子用凹部を有するので、第１取り付け部材および第２取り付け部材の大きさを小さくすることができる。
【００３０】
（５）
第５の発明にかかる電子機器は、第４の発明にかかる電子機器において、螺子用凹部は、第１軸部および第２軸部の一部の断面を、一対の扇柱形状に形成してもよい。
【００３１】
この場合、螺子用凹部により第１軸部および第２軸部の一部の断面が一対の扇柱形状に形成される。その結果、一対の扇柱形状の間に螺子を挿入することができる。
【００３２】
（６）
第６の発明にかかる電子機器は、第４の発明にかかる電子機器において、螺子用凹部は、第１軸部および第２軸部の一部の断面を、該軸から偏芯して形成された一個の楕円柱形状に形成してもよい。
【００３３】
この場合、螺子用凹部により第１軸部および第２軸部の一部の断面が該軸から偏芯して形成された一個の楕円柱形状に形成にされる。その結果、偏芯して形成された楕円柱形状以外の部分に、螺子を挿入することができる。
【００３４】
（７）
第７の発明にかかる電子機器は、第４から第６の発明にかかる電子機器において、螺子用凹部および軸孔により形成された円柱部に、螺子を貫通させてもよい。
【００３５】
この場合、螺子用凹部および軸孔により形成された円柱部に螺子を貫通させることで、第１取り付け部材および第１軸部を係止させることができ、第２取り付け部材および第２軸部を、係止させることができる。
【００３６】
（８）
第８の発明にかかる電子機器は、一局面から第７の発明にかかる電子機器において、同一軸は、ケースの外側にオフセットして配置されてもよい。
【００３７】
この場合、ケースの外側にオフセットさせて第１軸および第２軸の同一軸を設けている。その結果、電子機器を壁、板、金属等の対象物の平面上に取り付けた場合であっても、略直方体形状からなるケースを回動させる場合に電子機器の角が当該平面上に接触し、回転困難な状態を避けることができる。
【図面の簡単な説明】
【００３８】
【図１】同軸ケーブル分配器の外観の一例を示す模式的斜視図である。
【図２】同軸ケーブル分配器の外観の一例を示す模式的斜視図である。
【図３】同軸ケーブル分配器の構造の一例を示す模式的分解図および模式的要部拡大図である。
【図４】同軸ケーブル分配器の構造の一例を示す模式的分解図および模式的要部拡大図である。
【図５】第１取り付け部材、第２取り付け部材の一例を示す模式図である。
【図６】取り付け部材と第１軸部および第２軸部との構造の一例を示す模式的構造図である。
【図７】取り付け部材と第１軸部および第２軸部との構造の一例を示す模式的構造図である。
【図８】取り付け部材と第１軸部および第２軸部との構造の一例を示す模式的構造図である。
【図９】同軸ケーブル分配器を平面に取り付けた状態の一例を示す模式的平面図である。
【図１０】同軸ケーブル分配器を平面に取り付けた状態の一例を示す模式的平面図である。
【図１１】同軸ケーブル分配器を平面に取り付けた状態の一例を示す模式的平面図である。
【図１２】取り付け部材と第１軸部および第２軸部との構造の他の例を示す模式的構造図である。
【図１３】取り付け部材と第１軸部および第２軸部との構造の他の例を示す模式的構造図である。
【図１４】取り付け部材と第１軸部および第２軸部との構造の他の例を示す模式的構造図である。
【発明を実施するための形態】
【００３９】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００４０】
（同軸ケーブル分配器１００）
図１および図２は、第１の実施の形態にかかる同軸ケーブル分配器１００の外観の一例を示す模式的斜視図である。
【００４１】
図１および図２に示すように、同軸ケーブル分配器１００は、主に第１面（前面）１２０、側面１３０，１４０、天面１５０、第２面（裏面）１６０、および底面１７０からなる略直方体形状のケースを有する。
また、図１および図２に示すように、ケースの一方の側面１３０に第１軸部４１０が突出して設けられ、対向する他方の側面１４０に第２軸部４２０が突出して設けられる。
さらに、第１軸部４１０には、第１取り付け部材５１０が取り付けられており、第２軸部４２０には、第２取り付け部材５２０が取り付けられている。第１軸部４１０および第２軸部４２０の詳細形状については、後述する。
【００４２】
（入力接栓座２００および出力接栓座３００）
ケースの第１面１２０には、同軸ケーブル用の入力接栓座２００と、同軸ケーブル用の複数の出力接栓座３１０，３２０，３３０，３４０，３５０，３６０と、が設けられている。以下、出力接栓座３１０，３２０，３３０，３４０，３５０，３６０を示す場合、出力接栓座３００と呼ぶ。
本実施の形態において、入力接栓座２００および出力接栓座３００は、それぞれ第１面１２０の法線方向に沿って設けられている。
本実施の形態にかかる同軸ケーブル分配器１００は、入力接栓座２００に入力された電波（信号）を、出力接栓座３００のそれぞれに分配させることができる器具である。
【００４３】
また、本実施の形態において、入力接栓座２００および出力接栓座３００を第１面１２０に全て配置させることとしているが、これに限定されず、入力接栓座２００をケースの側面１３０，１４０に設けてもよく、入力接栓座２００および出力接栓座３００のいずれか１つまたは複数を任意の部位に設けてもよい。さらに、本実施の形態において出力接栓座３００は、６個の場合について図示しているが、これに限定されず、２、３または任意の数であってもよい。
さらに、本実施の形態において、入力接栓座２００および出力接栓座３００を金属で形成し、ケース自体も金属、または樹脂、例えば亜鉛（合金）から形成されていてもよい。さらに、ケース、第１軸部４１０および第２軸部４２０は、ダイカスト製品であってもよい。
【００４４】
（第１軸部４１０、第２軸部４２０）
図３および図４は、同軸ケーブル分配器１００の構造の一例を示す模式的分解図および模式的要部拡大図である。
【００４５】
図３に示すように、第１取り付け部材５１０、第２取り付け部材５２０は、第１軸部４１０および第２軸部４２０を外包するように設けられる。
ここで、「外包」とは、第１軸部４１０の円柱部分の少なくとも一部を包み込むことが可能な状態を意味する。すなわち、外包するとは、第１軸部４１０の円柱部分と第１取り付け部材５１０の貫通孔５１１との関係、第２軸部４２０の円柱部分と第２取り付け部材５２０の貫通孔５２１との関係を意味する。
【００４６】
図４に示すように、第１軸部４１０および第２軸部４２０は、主に円柱形状からなり、当該円柱形状の一部に凹部４３０を有する。凹部４３０の詳細については、後述する。
なお、凹部４３０を設けることとしているが、これに限定されず、第１取り付け部材５１０、第２取り付け部材５２０の大きさを大きくすることで、任意に設けてもよい。すなわち、後述するように、螺子Ｂと干渉する問題がなければ、凹部４３０を設けなくても良い。上記の大きさを大きくするということは、第１取り付け部材５１０、第２取り付け部材５２０の中央部に貫通孔５１１、貫通孔５２１を設けるのではなく、現状よりも大きな第１取り付け部材５１０、第２取り付け部材５２０の中央部から偏芯した位置に貫通孔５１１、貫通孔５２１を設ける場合を意味する。
さらに、本実施の形態において、第１軸部４１０、第２軸部４２０もケースと同じタイミングで形成されるため、ケースと同様の金属、または樹脂、例えば亜鉛（合金）から形成されていてもよい。
【００４７】
（第１取り付け部材５１０、第２取り付け部材５２０）
図５は、第１取り付け部材５１０、第２取り付け部材５２０の一例を示す模式図である。
本実施の形態において、第１取り付け部材５１０、第２取り付け部材５２０は、樹脂、または金属から形成されていてもよい。
【００４８】
第１取り付け部材５１０、第２取り付け部材５２０は、同一形状からなる。したがって、第１取り付け部材５１０を例に挙げて説明を行う。
図５に示すように、第１取り付け部材５１０は、略直方体形状からなり、内部に円柱形状の貫通孔５１１を有する。また、貫通孔５１１は、第１軸部４１０の円柱形状が挿入可能な孔径に設定されている。
さらに、第１取り付け部材５１０は、略直方体形状の一面側から貫通孔５１１へ向けてスリットを形成する一対の面５１２，５１３を有する。
【００４９】
また、第１取り付け部材５１０の一対の面５１２，５１３の法線方向には、螺子Ｂを挿入または取り付けるための孔５２５が設けられる。
なお、本実施の形態における第１取り付け部材５１０は、一対の面５１２，５１３をほぼ並行して形成している場合について説明したが、これに限定されず、相対的に任意の角度で形成されてもよい。
【００５０】
同様に、第２取り付け部材５２０は、略直方体形状で内部に円柱形状の貫通孔５１１を有し、貫通孔５２１は、第２軸部４２０の円柱形状が挿入可能な孔径に設定されている。また、第２取り付け部材５２０は、略直方体形状の一面側から貫通孔５２１へ向けてスリットを形成する一対の面５２２，５２３を有し、螺子Ｂのための孔５２５が設けられる。
上記の第１取り付け部材５１０および第２取り付け部材５２０は、それぞれ断面がアルファベットの「Ｃ」の文字形状に形成されている。アルファベットの「Ｃ」の文字の書き始めと書き終わりの部分の間に一対の面５２２，５２３からなるスリットが形成されており、スリットの間隔を小さくすると貫通孔５１１，５２１の孔径が小さくできる。
【００５１】
なお、本実施の形態においては、螺子Ｂの頭部と螺子Ｂのスクリュー部分とにより一対の面５１２，５１３のスリット幅、一対の面５２２，５２３のスリット幅を狭くすることができる場合について説明したが、これに限定されず、螺子Ｂの頭部と取り付け面（壁、壁面、取り付け金具）とにより一対の面５１２，５１３のスリット幅、一対の面５２２，５２３のスリット幅を狭くするようにしてもよい。
【００５２】
また、本実施の形態において、第１軸部４１０は、第１取り付け部材５１０の貫通孔５１１の直径と同じであってもよく、または貫通孔５１１よりも第１軸部４１０の方が少し大きいものであってもよい。
同様に、第２軸部４２０は、第２取り付け部材５２０の貫通孔５２１の直径と同じであってもよく、または貫通孔５２１よりも第２軸部４２０の方が少し大きいものであってもよい。
【００５３】
（螺子Ｂによる締結の動作）
続いて、図６、図７および図８は、第１取り付け部材５１０および第１軸部４１０、と、第２取り付け部材５２０および第２軸部４２０との構造の一例を示す模式的構造図である。また、図６は、螺子Ｂを挿入する前の状態を示す。図７および図８は、図６のＡ１―Ａ１断面の一例を示す。
【００５４】
まず、図６に示すように、第１軸部４１０に第１取り付け部材５１０を挿入した場合、螺子Ｂを挿入するための孔５２５が形成される。この場合、第１軸部４１０の凹部４３０が、螺子Ｂと係り止め可能な形状を有する。螺子Ｂを挿入した場合、螺子Ｂが第１軸部４１０の凹部４３０を通過して係り止めされるため、第１取り付け部材５１０と第１軸部４１０とは離間しない。
同様に、第２軸部４２０に第２取り付け部材５２０を挿入した場合、螺子Ｂを挿入するための孔５２５が形成される。この場合、第２軸部４２０の凹部４３０が、螺子Ｂと係り止め可能な形状を有する。螺子Ｂを挿入した場合、螺子Ｂが第２軸部４２０の凹部４３０を通過して係り止めされるため、第２取り付け部材５２０と第２軸部４２０とは離間しない。
【００５５】
次に、図７に示すように、第１軸部４１０の外径は、貫通孔５１１の内径よりもわずかに大きく設定されており、挿入可能に設けられる。その結果、一対の面５１２，５１３は、距離Ｌ１となる（Ｌ１≠０）。
次いで、孔５２５に螺子Ｂを挿入する。この場合、螺子Ｂは、孔５２５に仮止めされてもよい。図７の場合、孔５２５の一部の径は、螺子Ｂの直径よりもわずかに、狭く設けられている。そのため、螺子Ｂを仮止めすることができる。
なお、本実施の形態においては、螺子Ｂを仮止めできることとしているが、これに限定されず、孔５２５は、螺子Ｂの直径より大きく貫通するように設計し、螺子Ｂを挿入する側と逆側にワッシャ等を設けて仮止めしてもよく、他の任意の構造で仮止めしてもよい。
なお、仮止めされることは、例えば、同軸ケーブル分配器１００を天井面に設置する場合等においても、螺子Ｂが同軸ケーブル分配器１００から脱落することがないため、取り付け作業性に優れる。
また、この場合、第１軸部４１０には、凹部４３０（楕円柱形状）が形成されているため、凹部４３０内に配置された螺子Ｂは、第１軸部４１０と離間した状態が維持される。
【００５６】
次いで、図８に示すように、螺子Ｂが挿入された場合、一対の面５１２，５１３は、距離Ｌ２となる（Ｌ１＞＞Ｌ２≒０）。この場合、螺子Ｂが、一対の面５１３を超えた部分と噛み合い、螺子Ｂのスクリューにより一対の面５１３側が、一対の面５１２側へ引っ張られる。その結果、螺子Ｂの頭の部分と螺子Ｂのスクリュー部分で、一対の面５１２，５１３が挟み込まれる。
本実施の形態においては、孔５２５が螺子Ｂと噛み合うことから一対の面５１２，５１３の距離が短くなる場合について説明しているが、これに限定されず、螺子Ｂが孔５２５と噛み合わない場合、螺子Ｂが壁などの取り付け面に挿入されることで、一対の面５１２，５１３の距離が短くなる。
【００５７】
その結果、貫通孔５１１の径が縮小され、貫通孔５１１の内周面により第１軸部４１０が保持される。
この場合、ケースの第１軸部４１０は、第１取り付け部材５１０に仮固定（または固定）される。ケースの第２軸部４２０は、第２取り付け部材５２０に仮固定（または固定）される。その結果、ケースの取付け角度を維持することができる。
また、図８に示すように、螺子Ｂは、破線で形成された状態まで回転させることができる。
【００５８】
次に、図９、図１０、および図１１は、同軸ケーブル分配器１００を取り付け面に取り付けた一例を示す模式図である。
【００５９】
図９に示すように、壁などの取り付け面に同軸ケーブル分配器１００を取り付けた場合、螺子Ｂにより第１取り付け部材５１０および第２取り付け部材５２０が平面（取り付け面）に固定される。
この場合、第１取り付け部材５１０の一対の面５１２，５１３は、図７に示した状態となり、第１軸部４１０を摺動可能に保持する。また、第２取り付け部材５２０の一対の面５２２，５２３も同様に、第２軸部４２０を摺動可能に保持する。
【００６０】
次に、図１０に示すように、同軸ケーブル分配器１００を第１軸部４１０および第２軸部４２０を軸４５０として回転させる。本実施の形態においては、当該軸４５０が同軸ケーブル分配器１００の外周の外側へオフセット（図１０参照  Ｄ）されている。
その結果、回転時に同軸ケーブル分配器１００の外周面が、壁などの平面に接触することがないため、容易に回転させることができる。
【００６１】
すなわち、本実施の形態においては、螺子Ｂを締め付けた後であっても、同軸ケーブル分配器１００を回転させることができる。また、同軸ケーブル分配器１００の回転角度を自由自在に調整し、複数の姿勢の状態を設定することができる。
なお、同軸ケーブル分配器１００を取り付け対象に仮固定した後のみ、同軸ケーブル分配器１００の取り付け角度を任意の角度に調整することができるようにし、螺子Ｂを締め付けた後には、同軸ケーブル分配器１００が１の姿勢の状態のみ設定できるようにしてもよい。
【００６２】
最後に、図１１に示すように、同軸ケーブル分配器１００をさらに回転させることができる。図９から図１１までに示すように、本実施の形態においては、同軸ケーブル分配器１００の取り付け角度を最大９０度の範囲内で任意に調整することができる。
【００６３】
同軸ケーブル分配器１００の回転角度が規制されるように、第１取り付け部材５１０（第２取り付け部材５２０）と第１軸部４１０（第２軸部４２０）との間に、両者の相対角度を規制する構造または部材を設けてもよい。
例えば、第１取り付け部材５１０（第２取り付け部材５２０）の貫通孔５１１（５２１）の内面に突起または凹形状の嵌合部を設け、突起または凹形状に嵌合可能な被嵌合部を対向する第１軸部４１０（第２軸部４２０）の外周面に設けてもよい。嵌合部および被嵌合部は円周方向に複数設けることができる。この場合、同軸ケーブル分配器１００を第１取り付け部材５１０（第２取り付け部材５２０）に対し所定角度で回転させて、取り付け面に対する分配器の設定角度とすることができる。
【００６４】
また、第１軸部４１０（第２軸部４２０）の断面形状を真円形ではなく楕円形または矩形に形成し、第１取り付け部材５１０（第２取り付け部材５２０）の貫通孔５１１（５２１）の形状を真円形ではなく楕円形または矩形に形成してもよい。この場合、第１取り付け部材５１０（第２取り付け部材５２０）に対する第１軸部４１０（第２軸部４２０）の回転抵抗が回転角度によって変わるため、回転抵抗が大きくなる両者間の相対回転角度を、取り付け面に対する分配器の設定角度とすることができる。
なお、本実施の形態においては、螺子Ｂを締め付けた後に同軸ケーブル分配器１００を摺動回転できることとしているが、これに限定されず、螺子Ｂを仮止めした場合に同軸ケーブル分配器１００を摺動回転することができることとし、螺子Ｂを完全に締め付けた場合に、同軸ケーブル分配器１００を摺動回転できず、完全に姿勢が固定されてもよい。
【００６５】
（他の例）
続いて、図１２、１３、１４は、第１取り付け部材５１０および第２取り付け部材５２０と第１軸部４１０および第２軸部４２０との構造の他の例を示す模式的構造図である。また、図１２は、螺子Ｂを挿入する前の状態を示す。図１３および図１４は、図１２のＡ２―Ａ２断面の一例を示す。
【００６６】
まず、図１２に示すように、第１軸部４１０に第１取り付け部材５１０を挿入した場合、図５と同様に、螺子Ｂを挿入するための孔５２５が形成される。この場合、第１軸部４１０の凹部４４０が、螺子Ｂと係り止め可能な形状を有するため、螺子Ｂを挿入した場合、第１取り付け部材５１０が第１軸部４１０と離間することを防止することができる。
同様に、第２軸部４２０に第２取り付け部材５２０を挿入した場合、螺子Ｂを挿入するための孔５２５が形成される。この場合、第２軸部４２０の凹部４４０が、螺子Ｂと係り止め可能な形状を有するため、螺子Ｂを挿入した場合、第２取り付け部材５２０が第２軸部４２０と離間することを防止することができる。
【００６７】
また、図１３に示すように、凹部４４０は、一対の扇柱形状を形成する。第１軸部４１０の外径は、貫通孔５１１の内径よりもわずかに小さく設定されており、挿入可能に設けられる。その結果、一対の面５１２，５１３の距離Ｌ１となる（Ｌ１≠０）。
次いで、孔５２５に螺子Ｂを挿入する。図１４に示すように、螺子Ｂを壁に挿入することで、一対の面５１２，５１３の距離Ｌ２となる（Ｌ１＞＞Ｌ２≒０）。
本実施の形態においては、壁等の取り付け面が螺子Ｂと噛み合うことから一対の面５１２，５１３の距離が短くなる場合について説明しているが、これに限定されず、螺子Ｂが孔５２５と噛み合わせる構造等を採用してもよい。
【００６８】
その結果、貫通孔５１１の径が縮小され、貫通孔５１１の内周面により第１軸部４１０が保持される。
この場合、ケースの第１軸部４１０は、第１取り付け部材５１０に仮固定（または固定）される。ケースの第２軸部４２０は、第２取り付け部材５２０に仮固定（または固定）される。その結果、ケースの取付け角度を維持することができる。
また、図１４に示すように、螺子Ｂは、破線で形成された状態まで回転させることができる。
【００６９】
以上のように、本実施の形態において、同軸ケーブル分配器１００の同軸ケーブル用の入力接栓座２００、複数の出力接栓座３００に同軸ケーブルを取り付けた後でも、端子または接栓座２００，３００の方向およびケースの姿勢を容易に変更することができる。
さらに、図９、図１０、図１１に示すように、同軸ケーブル分配器１００の姿勢を、多段階、自由自在な状態で設定することができる。
また、壁、板、金属、等の対象物の平面上に取り付けた場合であっても、略直方体形状からなる同軸ケーブル分配器１００の角部分が当該平面上に接触し、回転困難な状態を避けることができる。
【００７０】
なお、本実施の形態においては、螺子Ｂを、所定の程度、締めて同軸ケーブル分配器１００を取り付け対象（壁、柱、取付金具等）に仮固定し、さらに取り付け対象に対する同軸ケーブル分配器１００の角度を任意に調整したうえで、螺子Ｂを強く締める場合について説明した。このようにすることによって、同軸ケーブル分配器１００が取り付け対象に確実に固定されるとともに、同軸ケーブル分配器１００の第１取り付け部材５１０が第１軸部４１０に固定され、第２取り付け部材５２０が第２軸部４２０に固定されるため同軸ケーブル分配器１００の姿勢も所定の角度で固定される。同軸ケーブル分配器１００を仮固定させて、入力接栓座２００に配線を接続しつつ、同軸ケーブル分配器１００の姿勢の角度調節を実施してもよく、同軸ケーブル分配器１００の姿勢の角度調節を固定した後に配線を接続してもよい。
【００７１】
本発明においては、第１面１２０、側面１３０，１４０、天面１５０、裏面１６０、および底面１７０からなる略直方体形状が「ケース」に相当し、第１軸部４１０が「第１軸部」に相当し、第２軸部４２０が「第２軸部」に相当し、第１取り付け部材５１０が「第１取り付け部材」に相当し、孔５２５が「円柱部」に相当し、第２取り付け部材５２０が「第２取り付け部材」に相当し、軸４５０が「同一軸」に相当し、凹部４３０，４４０が「螺子用凹部」に相当し、同軸ケーブル分配器１００が「電子機器」に相当し、貫通孔５１１，５２１が「軸孔」に相当し、一対の面５１２，５１３、一対の面５２２，５２３が「スリット」に相当し、オフセットＤが「オフセット」に相当する。
【００７２】
本発明の好ましい一実施の形態は上記の通りであるが、本発明はそれだけに制限されない。本発明の精神の範囲から逸脱することのない様々な実施形態が他になされることは理解されよう。さらに、本実施形態において、本発明の構成による作用および効果を述べているが、これら作用および効果は、一例であり、本発明を限定するものではない。
さらに、本実施形態では電子機器の一例として同軸ケーブル分配器１００を取り上げたが、分波器、または混合器等、任意の電子機器においても適用可能である。
【符号の説明】
【００７３】
１００  同軸ケーブル分配器
１２０  第１面
１３０，１４０  側面
１５０  天面
１６０  裏面
１７０  底面
４１０  第１軸部
４２０  第２軸部
４３０  凹部
４４０  凹部
４５０  軸
５１０  第１取り付け部材
５２０  第２取り付け部材
５２５  孔
５１１，５２１  貫通孔
５１２，５１３，５２２，５２３  一対の面
Ｄ  オフセット
【図１】
2020129453.tif 000003
【図２】
2020129453.tif 000004
【図３】
2020129453.tif 000005
【図４】
2020129453.tif 000006
【図５】
2020129453.tif 000007
【図６】
2020129453.tif 000008
【図７】
2020129453.tif 000009
【図８】
2020129453.tif 000010
【図９】
2020129453.tif 000011
【図１０】
2020129453.tif 000012
【図１１】
2020129453.tif 000013
【図１２】
2020129453.tif 000014
【図１３】
2020129453.tif 000015
【図１４】
2020129453.tif 000016